【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
光透過性基材の一面側に膜厚１〜４０μｍのハードコート層が設けられた光学フィルムであって、
前記ハードコート層にはカチオンとアニオンからなるイオン液体が含まれ、
前記ハードコート層の膜厚方向において、当該ハードコート層の前記光透過性基材とは反対側の界面から５０〜７００ｎｍの領域に、当該界面から７００ｎｍまでの領域に存在する前記イオン液体の存在量のピークが存在することを特徴とする、光学フィルム。
【請求項２】
前記ピークの半値幅が２５〜５００ｎｍであることを特徴とする、請求項１に記載の光学フィルム。
【請求項３】
前記界面から７００ｎｍまでの領域に存在する前記イオン液体の存在量に対する当該界面から５０ｎｍまでの領域に存在する前記イオン液体の存在量の割合が、５０％以下であることを特徴とする、請求項１又は２に記載の光学フィルム。
【請求項４】
前記カチオンが、第４級アンモニウム系カチオン、第４級ホスホニウム系カチオン、イミダゾリウム系カチオン、ピリジニウム系カチオン及びピロリジニウム系カチオンからなる群より選ばれる１種以上のカチオンであることを特徴とする、請求項１乃至３のいずれか一項に記載の光学フィルム。
【請求項５】
前記ハードコート層の表面抵抗値が、１．０×１０１３Ω／□以下であることを特徴とする、請求項１乃至４のいずれか一項に記載の光学フィルム。
【請求項６】
前記ハードコート層の前記光透過性基材とは反対側の面に低屈折率層が設けられていることを特徴とする、請求項１乃至５のいずれか一項に記載の光学フィルム。
【請求項７】
（ｉ）光透過性基材を準備する工程、
（ｉｉ）カチオンとアニオンからなるイオン液体、第一の硬化性樹脂及び第一の溶剤を含む第一のハードコート層用硬化性樹脂組成物、及び、第二の硬化性樹脂及び第二の溶剤を含む第二のハードコート層用硬化性樹脂組成物を準備する工程、
（ｉｉｉ）前記光透過性基材の一面側に、当該光透過性基材側から少なくとも前記第一のハードコート層用硬化性樹脂組成物及び第二のハードコート層用硬化性樹脂組成物を隣接させて同時塗布し、塗膜とする工程、
（ｉｖ）前記（ｉｉｉ）工程で得られた塗膜を乾燥させ、硬化させる工程、を含むことを特徴とする、光学フィルムの製造方法。
【請求項８】
前記カチオンが、第４級アンモニウム系カチオン、第４級ホスホニウム系カチオン、イミダゾリウム系カチオン、ピリジニウム系カチオン及びピロリジニウム系カチオンからなる群より選ばれる１種以上のカチオンであることを特徴とする、請求項７に記載の光学フィルムの製造方法。
【請求項９】
前記請求項１乃至６のいずれか一項に記載の光学フィルムの前記光透過性基材側の面に、偏光素子が設けられていることを特徴とする、偏光板。
【請求項１０】
前記請求項１乃至６のいずれか一項に記載の光学フィルムを備えることを特徴とする、ディスプレイパネル。
【請求項１１】
前記請求項９に記載の偏光板を備えることを特徴とする、ディスプレイパネル。
【請求項１２】
前記請求項１乃至６のいずれか一項に記載の光学フィルムを備えることを特徴とする、ディスプレイ。
【請求項１３】
前記請求項１１に記載のディスプレイパネルを備えることを特徴とする、ディスプレイ。
【請求項１４】
前記請求項１０に記載のディスプレイパネルを備えることを特徴とする、ディスプレイ。
【手続補正２】
【補正対象書類名】明細書
【補正対象項目名】０００９
【補正方法】変更
【補正の内容】
【０００９】
本発明は、以下を要旨とするものである。
１．光透過性基材の一面側に膜厚１〜４０μｍのハードコート層が設けられた光学フィルムであって、前記ハードコート層にはカチオンとアニオンからなるイオン液体が含まれ、前記ハードコート層の膜厚方向において、当該ハードコート層の前記光透過性基材とは反対側の界面から５０〜７００ｎｍの領域に、当該界面から７００ｎｍまでの領域に存在する前記イオン液体の存在量のピークが存在することを特徴とする、光学フィルム。
２．前記ピークの半値幅が２５〜５００ｎｍであることを特徴とする、上記１に記載の光学フィルム。
３．前記界面から７００ｎｍまでの領域に存在する前記イオン液体の存在量に対する当該界面から５０ｎｍまでの領域に存在する前記イオン液体の存在量の割合が、５０％以下であることを特徴とする、上記１又は２に記載の光学フィルム。
４．前記カチオンが、第４級アンモニウム系カチオン、第４級ホスホニウム系カチオン、イミダゾリウム系カチオン、ピリジニウム系カチオン及びピロリジニウム系カチオンからなる群より選ばれる１種以上のカチオンであることを特徴とする、上記１乃至３のいずれかに記載の光学フィルム。
５．前記ハードコート層の表面抵抗値が、１．０×１０１３Ω／□以下であることを特徴とする、上記１乃至４のいずれかに記載の光学フィルム。
６．前記ハードコート層の前記光透過性基材とは反対側の面に低屈折率層が設けられていることを特徴とする、上記１乃至５のいずれかに記載の光学フィルム。
７．（ｉ）光透過性基材を準備する工程、（ｉｉ）カチオンとアニオンからなるイオン液体、第一の硬化性樹脂及び第一の溶剤を含む第一のハードコート層用硬化性樹脂組成物、及び、第二の硬化性樹脂及び第二の溶剤を含む第二のハードコート層用硬化性樹脂組成物を準備する工程、（ｉｉｉ）前記光透過性基材の一面側に、当該光透過性基材側から少なくとも前記第一のハードコート層用硬化性樹脂組成物及び第二のハードコート層用硬化性樹脂組成物を隣接させて同時塗布し、塗膜とする工程、（ｉｖ）前記（ｉｉｉ）工程で得られた塗膜を乾燥させ、硬化させる工程、を含むことを特徴とする、光学フィルムの製造方法。
８．前記カチオンが、第４級アンモニウム系カチオン、第４級ホスホニウム系カチオン、イミダゾリウム系カチオン、ピリジニウム系カチオン及びピロリジニウム系カチオンからなる群より選ばれる１種以上のカチオンであることを特徴とする、上記７に記載の光学フィルムの製造方法。
９．上記１乃至６のいずれかに記載の光学フィルムの前記光透過性基材側の面に、偏光素子が設けられていることを特徴とする、偏光板。
１０．上記１乃至６のいずれかに記載の光学フィルムを備えることを特徴とする、ディスプレイパネル。
１１．上記９に記載の偏光板を備えることを特徴とする、ディスプレイパネル。
１２．上記１乃至６のいずれかに記載の光学フィルムを備えることを特徴とする、ディスプレイ。
１３．上記１１に記載のディスプレイパネルを備えることを特徴とする、ディスプレイ。
１４．上記１０に記載のディスプレイパネルを備えることを特徴とする、ディスプレイ。
【手続補正３】
【補正対象書類名】明細書
【補正対象項目名】００１３
【補正方法】変更
【補正の内容】
【００１３】
本発明において、（メタ）アクリレートは、アクリレート及び／又はメタクリレートを意味し、（メタ）アクリル酸は、アクリル酸及び／又はメタクリル酸を意味する。
本発明において、「ハードコート層」とは、ＪＩＳ  Ｋ５６００−５−４（１９９９）に規定する鉛筆硬度試験（４．９Ｎ荷重）で、「Ｈ」以上の硬度を示すものをいう。
本発明において、微粒子（高屈折率微粒子を含む）の平均粒径とは、組成物における微粒子の場合は、溶液中の粒子を動的光散乱方法で測定したときの平均粒径を意味し、日機装（株）製のＭｉｃｒｏｔｒａｃ粒度分析計を用いて測定することができる。ハードコート層中の微粒子の場合は、ハードコート層の断面のＴＥＭ写真により観察される粒子２０個の平均値を意味する。
本発明において、分子量とは、分子量分布を有しない場合には、化合物そのものの分子量を意味し、分子量分布を有する場合には、ＴＨＦ溶剤におけるゲル浸透クロマトグラフィー（ＨＬＣ−８２２０ＧＰＣ）及びデータ解析ソフト（東ソー（株）製）を用いて測定した（ＧＰＣ）により測定したポリスチレン換算値である重量平均分子量Ｍｗを意味し、Ｎｉ個の分子量Ｍｉの分子（ｉ＝１、２、３、・・・）からなる多分散系について、重量平均分子量Ｍｗは下記式（１）により求められる。
【手続補正４】
【補正対象書類名】図面
【補正対象項目名】図３
【補正方法】変更
【補正の内容】
【図３】
2011154352.tif 000001